(57)【要約】  【課題】ベンドタップの寿命の延長およびナット製品の品質の向上等を図ることができるタッピング装置を提供する。  【解決手段】タッピング装置１は、タップ部2aを有する回転可能なベンドタップ２を備える。タッピング装置１は、ベンドタップ２のタップ部2aに対してナット素材を押し付ける往復移動可能な押棒体21を備える。タッピング装置１は、押棒体21を往復移動させる押棒体駆動手段22と、タップ部2aとナット素材との接触時の衝撃を緩和する緩衝手段23とを備える。  【選択図】図１
2006289581.tif 000002
【特許請求の範囲】
【請求項１】
タップ部を有する回転可能なベンドタップと、
このベンドタップの前記タップ部に対してナット素材を押し付ける往復移動可能な押体と、
この押体を往復移動させる押体駆動手段と、
前記タップ部とナット素材との接触時の衝撃を緩和する緩衝手段と
を備えることを特徴とするタッピング装置。
【請求項２】
ナット素材が通るナット案内孔部を有する固定ガイド体と、
ナット素材が通るナット案内孔部を有し、前記固定ガイド体に対して接離移動可能な移動ガイド体と、
この移動ガイド体の前記ナット案内孔部にタップ部が挿入され、このタップ部にてナット素材にねじ部を形成する回転可能なベンドタップと、
前記固定ガイド体の前記ナット案内孔部および前記移動ガイド体の前記ナット案内孔部に挿入され、前記ベンドタップの前記タップ部に対してナット素材を押し付ける往復移動可能な押体と、
この押体を往復移動させる押体駆動手段と、
前記タップ部とナット素材との接触時の衝撃を緩和する緩衝手段と
を備えることを特徴とするタッピング装置。
【請求項３】
緩衝手段は、押体と押体駆動手段との間に配設されたスプリング部材にて構成されている
ことを特徴とする請求項１または２記載のタッピング装置。
【請求項４】
スプリング部材の縮み量が調節可能となっている
ことを特徴とする請求項３記載のタッピング装置。
【請求項５】
スプリング部材の縮み量を調節するための調節用ナットを備え、この調節用ナットは押体のねじ部分に螺合されている
ことを特徴とする請求項４記載のタッピング装置。
【発明の詳細な説明】
【技術分野】
【０００１】
本発明は、ベンドタップのタップ部とナット素材との接触時の衝撃によるタップ部の損傷を防止でき、ベンドタップの寿命の延長およびナット製品の品質の向上等を図ることができるタッピング装置に関するものである。
【背景技術】
【０００２】
従来、例えばタップ部および湾曲状のベンド部を有する回転可能なベンドタップと、このベンドタップのタップ部に対してナット素材を押し付ける往復移動可能な押棒体と、この押棒体を往復移動させる押棒体駆動手段とを備えたタッピング装置が知られている（例えば、特許文献１参照）。
【特許文献１】特開平６−２６２４３３号公報
【発明の開示】
【発明が解決しようとする課題】
【０００３】
しかしながら、上記従来のタッピング装置では、ベンドタップのタップ部とナット素材との接触時の衝撃によって、ベンドタップのタップ部が損傷し、ナットのねじ形状を悪化させるおそれがある。
【０００４】
本発明は、このような点に鑑みなされたもので、ベンドタップのタップ部とナット素材との接触時の衝撃によるタップ部の損傷を防止でき、ベンドタップの寿命の延長およびナット製品の品質の向上等を図ることができるタッピング装置を提供することを目的とする。
【課題を解決するための手段】
【０００５】
請求項１記載のタッピング装置は、タップ部を有する回転可能なベンドタップと、このベンドタップの前記タップ部に対してナット素材を押し付ける往復移動可能な押体と、この押体を往復移動させる押体駆動手段と、前記タップ部とナット素材との接触時の衝撃を緩和する緩衝手段とを備えるものである。
【０００６】
請求項２記載のタッピング装置は、ナット素材が通るナット案内孔部を有する固定ガイド体と、ナット素材が通るナット案内孔部を有し、前記固定ガイド体に対して接離移動可能な移動ガイド体と、この移動ガイド体の前記ナット案内孔部にタップ部が挿入され、このタップ部にてナット素材にねじ部を形成する回転可能なベンドタップと、前記固定ガイド体の前記ナット案内孔部および前記移動ガイド体の前記ナット案内孔部に挿入され、前記ベンドタップの前記タップ部に対してナット素材を押し付ける往復移動可能な押体と、この押体を往復移動させる押体駆動手段と、前記タップ部とナット素材との接触時の衝撃を緩和する緩衝手段とを備えるものである。
【０００７】
請求項３記載のタッピング装置は、請求項１または２記載のタッピング装置において、緩衝手段は、押体と押体駆動手段との間に配設されたスプリング部材にて構成されているものである。
【０００８】
請求項４記載のタッピング装置は、請求項３記載のタッピング装置において、スプリング部材の縮み量が調節可能となっているものである。
【０００９】
請求項５記載のタッピング装置は、請求項４記載のタッピング装置において、スプリング部材の縮み量を調節するための調節用ナットを備え、この調節用ナットは押体のねじ部分に螺合されているものである。
【発明の効果】
【００１０】
請求項１に係る発明によれば、ベンドタップのタップ部とナット素材との接触時の衝撃を緩衝手段にて緩和できるため、ベンドタップのタップ部とナット素材との接触時の衝撃によるタップ部の損傷を防止でき、ベンドタップの寿命の延長およびナット製品の品質の向上等を図ることができる。
【００１１】
請求項２に係る発明によれば、ベンドタップのタップ部とナット素材との接触時の衝撃を緩衝手段にて緩和できるため、ベンドタップのタップ部とナット素材との接触時の衝撃によるタップ部の損傷を防止でき、ベンドタップの寿命の延長およびナット製品の品質の向上等を図ることができる。
【００１２】
請求項３に係る発明によれば、押体と押体駆動手段との間に配設されたスプリング部材によって、ベンドタップのタップ部とナット素材との接触時の衝撃によるタップ部の損傷を適切に防止できる。
【００１３】
請求項４に係る発明によれば、スプリング部材の縮み量を調節することによって例えばナット素材の大きさ等に容易に対応することができる。
【００１４】
請求項５に係る発明によれば、調節用ナットを押体のねじ部分に対して回動操作することによりスプリング部材の縮み量を容易に調節できる。
【発明を実施するための最良の形態】
【００１５】
本発明のタッピング装置の一実施の形態を図面を参照して説明する。
【００１６】
図１および図２において、１はタッピング装置で、このタッピング装置（ねじ切り機械）１は、例えばベンドタップ（曲りタップ）２を用いて六角状のナット素材にねじ切削によりねじ部を形成してナット製品を連続的に製造する自動タッピングマシンである。なお、ベンドタップ２は、所定方向への回転によりナット素材のねじ切削を連続的に行い、その柄部に一杯たまったナット製品郡がタップ軸受けとなり、その一端から完成したナット製品を遠心力で１個ずつ落下させるものである。
【００１７】
タッピング装置１は、複数のナット素材が収容されるホッパー体３を備えている。ホッパー体３は、複数のナット素材が収容される略漏斗のホッパー本体部４と、ホッパー本体部４内からナット素材を１個ずつ送出するシュート部５とを有している。
【００１８】
また、タッピング装置１は、ホッパー体３の下方に配設されホッパー体３からのナット素材をナット入口部７から受け入れる両端面開口状で略筒状の固定ガイド体８を備えている。固定ガイド体８は、ナット素材が嵌合した状態で通る水平方向に長手状で断面六角状のナット案内孔部９を有している。
【００１９】
さらに、タッピング装置１は、固定ガイド体８に対して水平方向に沿って接離移動可能な両端面開口状で略筒状の移動ガイド体11を備えている。移動ガイド体11は、固定ガイド体８のナット案内孔部９からのナット素材を受け入れこのナット素材が嵌合した状態で通る水平方向に長手状で断面六角状のナット案内孔部12を有している。
【００２０】
また、タッピング装置１は、移動ガイド体11のナット案内孔部12にタップ部2aが挿入されこのタップ部2aにてナット素材にねじ部を形成する回転可能なベンドタップ２を備えている。ベンドタップ２は先端側に先細状のタップ部2aを有するとともに基端側に湾曲状のベンド部2bを有し、このベンド部2bは、ベンドタップ２を所定方向に回転させるタップ駆動手段15の孔部16内に挿入されている。
【００２１】
さらに、タッピング装置１は、固定ガイド体８のナット案内孔部９および移動ガイド体11のナット案内孔部12に先端側が挿入されベンドタップ２のタップ部2aに対してナット素材を押し付ける水平方向に沿って往復移動可能な棒状の押体である押棒体21と、この押棒体21の基端側に連結されこの押棒体21を水平方向に沿って往復移動させる押体駆動手段である押棒体駆動手段22と、ベンドタップ２のタップ部2aとナット素材との接触時の衝撃を緩和する緩衝手段23とを備えている。
【００２２】
押棒体21は、図２および図３に示すように、両端面開口状で六角筒状の押棒本体部31と、この押棒本体部31の押棒体駆動手段22側の端部に固着された連結棒部32とを有している。連結棒部32の押棒体駆動手段22側の端部にはねじ部分33が形成され、このねじ部分33に調節部材である調節用ナット35が螺合されている。押棒体21は、連結棒部32のねじ部分33の基端位置に段部分34を有している。
【００２３】
押棒体駆動手段22は、駆動源としての流体圧シリンダであるエアシリンダ41を有し、このエアシリンダ41の本体部42から突出したロッド部43には連結フレーム44が固着されている。連結フレーム44には孔部45が形成され、この孔部45内には押棒体21の連結棒部32のねじ部分33が挿通されている。図３から明らかなように、調節用ナット35を連結棒部32のねじ部分33に対して回動操作することにより、押棒体駆動手段22の連結フレーム44と押棒体21の段部分34との距離Ａ（押し付け時におけるスプリング部材の縮み量）が調節可能となっている。エアシリンダ41には、このエアシリンダ41の作動を制御するスピードコントローラ等の制御手段46が接続されている。
【００２４】
緩衝手段23は、押棒体21の押棒本体部31と押棒体駆動手段22の連結フレーム44との間に圧縮状態で配設され押棒体21を付勢するコイル状のスプリング部材（圧縮コイルばね）51にて構成されている。スプリング部材51は、押棒体21の連結棒部32の外周側に嵌着され、押棒本体部32と連結フレーム44との間に位置する。
【００２５】
そして、押棒体21によるナット素材のタップ部2aへの押し付け時におけるスプリング部材51の縮み量つまり連結フレーム44と段部分34との距離Ａ（衝撃吸収稼動量）が、調節用ナット35を押棒体21のねじ部分33に対して回動操作することにより調節可能となっている。
【００２６】
次に、上記タッピング装置１の動作を図４ないし図９を参照して説明する。
【００２７】
図４に示すように、ホッパー体３内のナット素材は、その自重で落下してナット入口部７から固定ガイド体８のナット案内孔部９内に入る。
【００２８】
そして、図５に示すように、押棒体駆動手段22のエアシリンダ41が作動すると、押棒体21がナット素材を押しながらベンドタップ２のタップ部2aに向って固定ガイド体８内および移動ガイド体11内をスライド移動する。
【００２９】
図６に示すように、移動ガイド体11内でナット素材が押棒体21にて押されてベンドタップ２のタップ部2aに接触した際には、緩衝手段23のスプリング部材51が縮み（例えば縮み量、約５ｍｍ）、調節用ナット35が連結フレーム44から離れ、押棒体21の段部分34が連結フレーム44に接触する。このスプリング部材51の圧縮方向への弾性変形により、ベンドタップ２のタップ部2aとナット素材との接触時の衝撃が吸収されて緩和される。
【００３０】
そして、図７に示すように、ナット素材が回転中のベンドタップ２のタップ部2aに喰い付くと、移動ガイド体11の固定ガイド体８から離反する方向への移動に伴ってねじ切削が行われ、ナット素材にタップ部2aにてねじ部が形成される。
【００３１】
図８に示すように、ナット素材にタップ部2aにてねじ部が形成されてねじ切削が終了すると、移動ガイド体11は図示しないばね等の戻し手段により固定ガイド体８に向って移動し、緩衝手段23のスプリング部材51は弾性復元力に基づいてもとの状態に復帰する。
【００３２】
その後、図９に示すように、押棒体駆動手段22のエアシリンダ41が作動すると、押棒体21がベンドタップ２のタップ部2aから離反する方向に向って固定ガイド体８内および移動ガイド体11内をスライド移動し、押棒体21が所定位置まで戻った時点で、次のナット素材がナット入口部７から固定ガイド体８のナット案内孔部９内に向って落下する。
【００３３】
そして、上記タッピング装置１によれば、ベンドタップ２のタップ部2aとナット素材との接触時の衝撃を緩衝手段23のスプリング部材51にて緩和できるため、ベンドタップ２のタップ部2aとナット素材との接触時の衝撃によるタップ部2aの損傷を防止でき、よって、ベンドタップ２の寿命の延長を図ることができるとともに、ねじ部の形状の安定によりナット製品の品質の向上等を図ることができる。また、ナット製品の品質が安定して得られるため、作業管理、品質管理等を簡素化でき、作業効率向上に多大な貢献をもたらす。
【００３４】
なお、ナット切削工程のエアシリンダ41の速度は、ナット供給時の負荷状態（ナット素材を移動）およびナット切削時（ねじ切削時）の速度で決定する。
【００３５】
従来のタッピング装置では、図１０に示されるように、例えば押棒体21にて早い速度でナット素材をベンドタップ２のタップ部2aに押し付けナット素材がタップ部2aに接触した時、急激に減速されているため、エアシリンダ41の圧力は、瞬間的に衝撃（押棒体21の減速）を受け増大している。このため、ベンドタップ２のタップ部2aはナット素材により衝撃を受け痛みやすい。
【００３６】
これに対し、図１１に示されるように、スプリング部材51を備えたタッピング装置１では、押棒体21にて早い速度でナット素材をベンドタップ２のタップ部2aに押し付けナット素材がタップ部2aに接触した時、押棒体21に装着されたスプリング部材51が圧縮され、エアシリンダ41の圧力を徐々に加圧することで衝撃を吸収する。ベンドタップ２はナット素材との接触後、徐々に加圧されるため、従来のものと比較してベンドタップ２が痛みにくい。
【００３７】
なお、緩衝手段23は、例えばコイル状のスプリング部材55以外の弾性部材を利用して構成することもできる。
【図面の簡単な説明】
【００３８】
【図１】本発明のタッピング装置の一実施の形態の概略側面図である。
【図２】同上タッピング装置の概略平面図である。
【図３】同上タッピング装置の要部平面図である。
【図４】同上タッピング装置の動作説明図である。
【図５】図４に続く動作説明図である。
【図６】図５に続く動作説明図である。
【図７】図６に続く動作説明図である。
【図８】図７に続く動作説明図である。
【図９】図８に続く動作説明図である。
【図１０】従来の押棒体位置とエアシリンダ圧力の関係を示す図である。
【図１１】本発明の押棒体位置とエアシリンダ圧力の関係を示す図である。
【符号の説明】
【００３９】
１    タッピング装置
２    ベンドタップ
2a    タップ部
８    固定ガイド体
９    固定ガイド体のナット案内孔部
11    移動ガイド体
12    移動ガイド体のナット案内孔部
21    押体である押棒体
22    押体駆動手段である押棒体駆動手段
23    緩衝手段
33    ねじ部分
35    調節用ナット
51    スプリング部材
【図１】
2006289581.tif 000003
【図２】
2006289581.tif 000004
【図３】
2006289581.tif 000005
【図４】
2006289581.tif 000006
【図５】
2006289581.tif 000007
【図６】
2006289581.tif 000008
【図７】
2006289581.tif 000009
【図８】
2006289581.tif 000010
【図９】
2006289581.tif 000011
【図１０】
2006289581.tif 000012
【図１１】
2006289581.tif 000013